(57)【要約】【課題】  電子機器付属部材を保持部材に対して所定の位置及び向きで着脱容易に取り付けることができる取付構造を提供すること。【解決手段】  実施形態のペン１１０をコネクタ１２０に取り付けるための取付構造によれば、ペン側第１磁石１１７とコネクタ側第１磁石１２５は吸引し合う。ペン側第２磁石１１８とコネクタ側第２磁石１２６は吸引し合う。ペン側第１磁石１１７とコネクタ側第２磁石１２６が、Ｓ極側同士で相対的に最も近接するように設けられている。ペン側第２磁石１１８とコネクタ側第１磁石１２５が、Ｎ極側同士で相対的に最も近接するように設けられている。ペン側第１磁石１１７のＳ極側とコネクタ側第１磁石１２５のＮ極側とを対向させ、かつ、ペン側第２磁石１１８のＮ極側とコネクタ側第２磁石１２６のＳ極側とを対向させることによって、ペン１１０をコネクタ１２０に取り付ける。【選択図】  図３
2020021227.tif 000002
【特許請求の範囲】
【請求項１】
第１磁性材と、第２磁性材と、を備え、情報の入出力が行われる電子機器に付属して用いられる電子機器付属部材と、
対向させた前記第１磁性材と吸引し合う第３磁性材と、対向させた前記第２磁性材と吸引し合う第４磁性材と、を備え、前記電子機器に装着された状態で、前記電子機器付属部材を取り付けて保持する保持部材と、を有し、
前記第１磁性材と前記第２磁性材の少なくとも一方、かつ、前記第３磁性材と前記第４磁性材の少なくとも一方が、強磁性体からなり、
前記第１磁性材が前記強磁性体の場合、少なくとも前記第４磁性材が前記強磁性体からなり、前記第１磁性材と前記第４磁性材とがＳ極側又はＮ極側同士で相対的に最も近接するように設けられ、
前記第２磁性材が前記強磁性体の場合、少なくとも前記第３磁性材が前記強磁性体からなり、前記第２磁性材と前記第３磁性材とがＮ極側又はＳ極側同士で相対的に最も近接するように設けられ、
前記第１磁性材と前記第３磁性材とを対向させ、かつ、前記第２磁性材と前記第４磁性材とを対向させることによって、前記電子機器付属部材を前記保持部材に取り付けるための取付構造。
【請求項２】
前記電子機器付属部材は、それぞれ電力乃至情報の入出力を介する、第１アノード端子と、第１カソード端子と、を有し、
前記保持部材は、それぞれ電力乃至情報の出入力を介する、第２アノード端子と、第２カソード端子と、を有し、
前記第１磁性材と前記第３磁性材とが対向し、かつ、前記第２磁性材と前記第４磁性材とが対向した状態で、前記第１アノード端子と前記第２アノード端子とが接触し、前記第１カソード端子と前記第２カソード端子とが接触する、請求項１記載の取付構造。
【請求項３】
前記電子機器付属部材は、前記保持部材を介して前記電子機器から充電される、請求項２記載の取付構造。
【請求項４】
前記保持部材は、汎用端子を介して前記電子機器に装着される、請求項１乃至請求項３のいずれか一項記載の取付構造。
【請求項５】
前記第１磁性材と、前記第２磁性材とが、前記電子機器付属部材上で所定方向に配列し、
前記第３磁性材と、前記第４磁性材とが、前記保持部材上で前記所定方向に配列している、請求項１乃至請求項４のいずれか一項記載の取付構造。
【請求項６】
前記電子機器付属部材上の前記所定方向における前記第１磁性材と前記第２磁性材との距離が、前記保持部材上の前記所定方向における前記第３磁性材と前記第４磁性材との距離にほぼ等しい、請求項５記載の取付構造。
【請求項７】
前記第３磁性材は、対向させた前記強磁性体の前記第１磁性材と吸引し合い、かつ、対向させた前記強磁性体の前記第２磁性材と反発し合う前記強磁性体からなり、
前記第４磁性材は、対向させた前記強磁性体の前記第２磁性材と吸引し合い、かつ、対向させた前記強磁性体の前記第１磁性材と反発し合う前記強磁性体からなる、請求項１乃至請求項６のいずれか一項記載の取付構造。
【請求項８】
前記第１磁性材と前記第３磁性材とが対向し、かつ、前記第２磁性材と前記第４磁性材とが対向した状態で、前記電子機器付属部材の接触面と前記保持部材の被接触面とが段差を介して接触する、請求項１乃至請求項７のいずれか一項記載の取付構造。
【請求項９】
第１磁性材と、第２磁性材と、を備え、情報の入出力が行われる電子機器に付属して用いられる電子機器付属部材と、
対向させた前記第１磁性材と吸引し合う第３磁性材と、対向させた前記第２磁性材と吸引し合う第４磁性材と、を備え、前記電子機器に装着された状態で、前記電子機器付属部材を取り付けて保持する保持部材と、に対して、
前記第１磁性材と前記第２磁性材の少なくとも一方、かつ、前記第３磁性材と前記第４磁性材の少なくとも一方が、強磁性体からなり、
前記第１磁性材が強磁性体の場合、少なくとも前記第４磁性材が前記強磁性体からなり、前記第１磁性材と前記第４磁性材とがＳ極側又はＮ極側同士で相対的に最も近接するように設けられ、
前記第２磁性材が前記強磁性体の場合、少なくとも前記第３磁性材が前記強磁性体からなり、前記第２磁性材と前記第３磁性材とがＮ極側又はＳ極側同士で相対的に最も近接するように設けられ、
前記第１磁性材と前記第３磁性材とが対向し、かつ、前記第２磁性材と前記第４磁性材とが対向するように、前記電子機器付属部材の位置及び向きを合わせて前記保持部材に取り付ける取付方法。
【発明の詳細な説明】
【技術分野】
【０００１】
本発明の実施形態は、電子機器付属部材を保持部材に取り付けるための取付構造及び取付方法に関する。
【背景技術】
【０００２】
電子機器に対して電子式等のペンを用いて情報を入力する技術が知られている。上記の技術に関連して、特許文献１には、タブレットにペンを置くと充電が開始される構成が開示されている。特許文献２には、ノートＰＣ用コードレスペンに充電電池を設けた構成が開示されている。特許文献３には、接続部を雌コネクタに接続することによってペンを所望の角度で保持する構成が開示されている。特許文献４には、凹部に磁石が設けられたタブレット端末に対してタッチペンを固定する構成が開示されている。
【先行技術文献】
【特許文献】
【０００３】
【特許文献１】特開平５−４０５６８号公報
【特許文献２】特開平７−１８２０８８号公報
【特許文献３】特開２０１６−１５７３８０号公報
【特許文献４】特開２０１８−１３９６９号公報
【発明の概要】
【発明が解決しようとする課題】
【０００４】
本発明の目的は、電子機器付属部材を保持部材に対して所定の位置及び向きで着脱容易に取り付けることができる取付構造及び取付方法を提供することである。
【課題を解決するための手段】
【０００５】
実施形態に係る取付構造は、電子機器付属部材と、保持部材と、を有する。前記電子機器付属部材は、第１磁性材と、第２磁性材と、を備え、情報の入出力が行われる電子機器に付属して用いられる。前記保持部材は、対向させた前記第１磁性材と吸引し合う第３磁性材と、対向させた前記第２磁性材と吸引し合う第４磁性材と、を備え、前記電子機器に装着された状態で、前記電子機器付属部材を取り付けて保持する。第１磁性材と第２磁性材の少なくとも一方、かつ、第３磁性材と第４磁性材の少なくとも一方が、強磁性体からなる。第１磁性材が強磁性体の場合、少なくとも第４磁性材が強磁性体からなり、第１磁性材と第４磁性材とがＳ極側又はＮ極側同士で相対的に最も近接するように設けられる。第２磁性材が強磁性体の場合、少なくとも第３磁性材が強磁性体からなり、第２磁性材と第３磁性材とがＮ極側又はＳ極側同士で相対的に最も近接するように設けられる。前記取付構造では、前記第１磁性材と前記第３磁性材とを対向させ、かつ、前記第２磁性材と前記第４磁性材とを対向させることによって、前記電子機器付属部材を前記保持部材に取り付ける。
【図面の簡単な説明】
【０００６】
【図１】第１実施形態のペン１１０とコネクタ１２０を示す斜視図である。
【図２】図１のペン１１０とコネクタ１２０を異なる方向から示す斜視図である。
【図３】図１のペン１１０とコネクタ１２０の構成を示す模式図である。
【図４】図１のペン１１０とコネクタ１２０が磁石の吸引力Ｍによって着脱自在に接続されている状態を示す断面図である。
【図５Ａ】図１のペン１１０とコネクタ１２０の使用形態であって、電子機器１０に装着されたコネクタ１２０に対してペン１１０が磁石の吸引力Ｍによって取り付けられている状態を示す斜視図である。
【図５Ｂ】図５Ａの状態から引き続き、ペン１１０を用いて電子機器１０に情報が入力されている状態を示す斜視図である。
【図５Ｃ】図５Ｂの状態から引き続き、ペン１１０を用いた情報の入力が終わり、ペン１１０がコネクタ１２０に対して正しい向きに取り付けられた結果、ペン１１０とコネクタ１２０が磁石の吸引力Ｍによって互いに接続されている状態を示す斜視図である。
【図５Ｄ】図５Ｂの状態から引き続き、ペン１１０を用いた情報の入力が終わり、ペン１１０がコネクタ１２０に対して誤った向きに取り付けられようとした結果、ペン１１０とコネクタ１２０が磁石の反発力Ｎによって互いに離れている状態を示す斜視図である。
【図５Ｅ】図５Ｃの状態から引き続き、手に接触されたペン１１０が損傷することなくコネクタ１２０から外れた状態を示す斜視図である。
【図６】図１のペン１１０とコネクタ１２０の使用形態を示すフローチャートである。
【図７】第２実施形態のペン２１０とコネクタ２２０が磁石の吸引力Ｍによって着脱自在に接続されている状態を示す断面図である。
【発明を実施するための形態】
【０００７】
以下、実施の形態について図面を参照して説明する。なお、開示はあくまで一例にすぎず、以下の実施形態に記載した内容により発明が限定されるものではない。当業者が容易に想到し得る変形は、当然に開示の範囲に含まれる。説明をより明確にするため、図面において、各部分のサイズ、形状等を実際の実施態様に対して変更して模式的に表す場合もある。複数の図面において、対応する要素には同じ参照数字を付して、詳細な説明を省略する場合もある。
【０００８】
［第１実施形態］
図１から図４を参照して、ペン１１０（請求項では電子機器付属部材と称する）をコネクタ１２０（請求項では保持部材と称する）に取り付けるための取付構造を説明する。なお、各々の図では、Ｘ、Ｙ及びＺの矢印によって、構成部材の相対的な向きを示している。
【０００９】
ペン１１０は、Ｓ極側が外方に臨むペン側第１磁石１１７（請求項では第１磁性材と称する）と、ペン側第１磁石１１７と位置を異ならせＮ極側が外方に臨むペン側第２磁石１１８（請求項では第２磁性材と称する）と、を備え、情報の入出力が行われる電子機器１０（後述する図５Ａから図５Ｅに示す）に付属して用いられる。
【００１０】
ペン１１０は、図３等に示すように、ペン側筐体１１１、ペン先１１２、電源１１３、抵抗１１４、ペン側アノード端子１１５（請求項では第１アノード端子と称する）、ペン側カソード端子１１６（請求項では第１カソード端子と称する）、ペン側第１磁石１１７及びペン側第２磁石１１８を有している。
【００１１】
ペン側筐体１１１は、図１から図４に示すように、ペン１１０の構成部材を保持し、かつ、ペン１１０の使用者が握るためのものである。ペン側筐体１１１は、図３に示すように、取付部１１１ａ、把持部１１１ｂ及び先端部１１１ｃから構成されている。取付部１１１ａは、コネクタ１２０に取り付けられる部分であって、ペン側アノード端子１１５、ペン側カソード端子１１６、ペン側第１磁石１１７及びペン側第２磁石１１８が設けられている。取付部１１１ａの接触面１１１ｄが、コネクタ１２０に接触する。把持部１１１ｂは、ペン１１０の使用者が握る部分であって、内部に電源１１３及び抵抗１１４が設けられている。先端部１１１ｃは、後述する電子機器１０の表示部１０ｃに対向する部分であって、ペン先１１２が設けられている。
【００１２】
ペン先１１２は、図１から図３に示すように、静電気によって電子機器１０の表示部１０ｃに情報を入力したり、静電気によって表示部１０ｃを介して電子機器１０を操作したりするものである。ペン先１１２は、十分な導電性と弾力性を備えた材料からなり、先端が丸い円柱形状に形成されている。
【００１３】
電源１１３は、図３に示すように、ペン先１１２を帯電させるためのものである。電源１１３は、例えば、コンデンサー又は二次電池からなる。電源１１３は、把持部１１１ｂに収容されている。電源１１３のアノード側は、配線を介して、ペン先１１２に接続されている。
【００１４】
抵抗１１４は、図３に示すように、電源１１３からペン先１１２に入力される電流の上限値を規定するためのものである。抵抗１１４は、例えば、金属抵抗からなる。抵抗１１４は、把持部１１１ｂに収容されている。抵抗１１４は、電源１１３のカソード側と、グラウンドであるペン側筐体１１１の把持部１１１ｂを連結する配線に接続されている。
【００１５】
ペン側アノード端子１１５は、図２から図４に示すように、後述するコネクタ１２０のコネクタ側アノード端子１２３を介して、電子機器１０から充電するための電源端子である。ペン側アノード端子１１５は、十分な導電性を備えた金属からなり、板状に形成されている。ペン側アノード端子１１５は、取付部１１１ａの接触面１１１ｄに形成された凹部に収容されている。ペン側アノード端子１１５は、接触面１１１ｄから外方に向かって若干突出するよう設けられている。ペン側アノード端子１１５は、配線を介して、電源１１３のアノード側に接続されている。
【００１６】
ペン側カソード端子１１６は、図２及び図３に示すように、コネクタ１２０のコネクタ側カソード端子１２４を介して、電子機器１０から充電するためのグラウンド端子である。ペン側カソード端子１１６は、ペン側アノード端子１１５と同様の材質及び形状から構成されている。ペン側カソード端子１１６は、ペン側アノード端子１１５とＸ方向に沿って隣り合うように、取付部１１１ａの接触面１１１ｄに形成された凹部に収容されている。ペン側カソード端子１１６は、接触面１１１ｄから外方に向かって若干突出するよう設けられている。ペン側カソード端子１１６は、配線を介して、電源１１３のカソード側に接続されている。
【００１７】
ペン側第１磁石１１７は、図２から図４に示すように、ペン１１０を吸引力Ｍによってコネクタ１２０に取り付けるためのものである。ペン側第１磁石１１７は、例えば、鉄、コバルト及びニッケル等の強磁性体の永久磁石からなり、長方体形状に形成されている。ペン側第１磁石１１７は、取付部１１１ａにおいて、ペン側アノード端子１１５とペン側カソード端子１１６が設けられている部分よりも上方に埋め込まれている。ペン側第１磁石１１７は、コネクタ１２０に対向する面がＳ極側になるように配置されている。ここで、ペン側第１磁石１１７は、第１磁性材の一例として、強磁性体を適用しているが、常磁性体を適用してもよい。
【００１８】
ペン側第２磁石１１８は、図２から図４に示すように、ペン側第１磁石１１７と共に、ペン１１０を吸引力Ｍによってコネクタ１２０に取り付けるためのものである。ペン側第２磁石１１８は、ペン側第１磁石１１７と同様の材質及び形状から構成されている。ペン側第２磁石１１８は、取付部１１１ａにおいて、ペン側アノード端子１１５とペン側カソード端子１１６が設けられている部分よりも下方に埋め込まれている。ペン側第２磁石１１８は、コネクタ１２０に対向する面がＮ極側になるように配置されている。ここで、ペン側第２磁石１１８は、第２磁性材の一例として、強磁性体を適用しているが、常磁性体を適用してもよい。
【００１９】
コネクタ１２０は、Ｎ極側が外方に臨むコネクタ側第１磁石１２５（請求項では第３磁性材と称する）と、コネクタ側第１磁石１２５と位置を異ならせＳ極側が外方に臨むコネクタ側第２磁石１２６（請求項では第４磁性材と称する）と、を備え、電子機器１０に装着された状態で、ペン１１０を取り付けて保持する。コネクタ１２０は、いわゆるドングルやアタッチメントの概念を含むものである。
【００２０】
コネクタ１２０は、図３等に示すように、コネクタ側筐体１２１、接続端子１２２、コネクタ側アノード端子１２３（請求項では第２アノード端子と称する）、コネクタ側カソード端子１２４（請求項では第２カソード端子と称する）、コネクタ側第１磁石１２５及びコネクタ側第２磁石１２６を有している。
【００２１】
コネクタ側筐体１２１は、図１から図４に示すように、コネクタ１２０の構成部材を保持し、かつ、ペン１１０を取り付けるためのものである。コネクタ側筐体１２１には、ペン側筐体１１１の接触面１１１ｄに接触される被接触面１２１ａが設けられている。コネクタ側筐体１２１の被接触面１２１ａには、コネクタ側アノード端子１２３、コネクタ側カソード端子１２４、コネクタ側第１磁石１２５及びコネクタ側第２磁石１２６を収容する凹部が形成されている。
【００２２】
接続端子１２２は、図１から図４に示すように、コネクタ１２０を後述する電子機器１０の接続ポート部１０ｂに接続するための端子である。接続端子１２２には、一例として、ｔｙｐｅ−ＣのＵＳＢに対応した汎用端子を適用することができる。接続端子１２２は、コネクタ側筐体１２１の被接触面１２１ａの反対側に接合されている。
【００２３】
コネクタ側アノード端子１２３は、図１、図３及び図４に示すように、電子機器１０からペン１１０に充電するための電源端子である。コネクタ側アノード端子１２３は、十分な導電性を備えた金属からなり、板状に形成されている。コネクタ側アノード端子１２３は、コネクタ側筐体１２１の被接触面１２１ａに形成された凹部に収容されている。コネクタ側アノード端子１２３は、図示せぬ板ばねによって、コネクタ側筐体１２１の外方に向かって付勢されている。コネクタ側アノード端子１２３を、板ばね状に形成してもよい。コネクタ側アノード端子１２３は、接続端子１２２を介して、電子機器１０に設けられた図示せぬ給電部のアノード側に接続される。
【００２４】
コネクタ側カソード端子１２４は、図１及び図３に示すように、電子機器１０からペン１１０に充電するためのグラウンド端子である。コネクタ側カソード端子１２４は、コネクタ側アノード端子１２３と同様の材質及び形状から構成されている。コネクタ側カソード端子１２４は、コネクタ側アノード端子１２３とＸ方向に沿って隣り合うように、コネクタ側筐体１２１の被接触面１２１ａに形成された凹部に収容されている。コネクタ側カソード端子１２４は、コネクタ側アノード端子１２３と同様の構成によって、コネクタ側筐体１２１に設けられている。コネクタ側カソード端子１２４は、接続端子１２２を介して、電子機器１０に設けられた給電部のカソード側に接続される。
【００２５】
コネクタ側第１磁石１２５は、図１、図３及び図４に示すように、ペン１１０を吸引力Ｍによってコネクタ側筐体１２１に取り付けるためのものである。コネクタ側第１磁石１２５は、鉄、コバルト及びニッケル等の強磁性体の永久磁石からなり、長方体形状に形成されている。コネクタ側第１磁石１２５は、ペン１１０のペン側第１磁石１１７と対向するように、コネクタ側筐体１２１の被接触面１２１ａに形成された凹部に収容されている。コネクタ側第１磁石１２５は、コネクタ側筐体１２１において、コネクタ側アノード端子１２３とコネクタ側カソード端子１２４が設けられた部分よりも上方に位置している。コネクタ側第１磁石１２５は、外方に露出した面がＮ極側になるように配置されている。ここで、コネクタ側第１磁石１２５は、第３磁性材の一例として、強磁性体を適用しているが、常磁性体を適用してもよい。
【００２６】
コネクタ側第２磁石１２６は、図１、図３及び図４に示すように、コネクタ側第１磁石１２５と共に、ペン１１０を吸引力Ｍによってコネクタ側筐体１２１に取り付けるためのものである。コネクタ側第２磁石１２６は、コネクタ側第１磁石１２５と同様の材質及び形状から構成されている。コネクタ側第２磁石１２６は、ペン１１０のペン側第２磁石１１８と対向するように、コネクタ側筐体１２１の被接触面１２１ａに形成された凹部に収容されている。コネクタ側第２磁石１２６は、コネクタ側筐体１２１において、コネクタ側アノード端子１２３とコネクタ側カソード端子１２４が設けられた部分よりも下方に位置している。コネクタ側第２磁石１２６は、外方に露出した面がＳ極側になるように配置されている。ここで、コネクタ側第２磁石１２６は、第４磁性材の一例として、強磁性体を適用しているが、常磁性体を適用してもよい。
【００２７】
図５Ａから図５Ｅ及び図６を参照して、ペン１１０をコネクタ１２０に取り付けるための取付方法を説明する。
【００２８】
図５Ａに、電子機器１０に装着されたコネクタ１２０に対してペン１１０が磁石の吸引力Ｍによって取り付けられている状態を示している。電子機器１０は、いわゆるタブレットのような情報端末やノートパソコン等を想定している。コネクタ１２０の接続端子１２２が、電子機器１０の本体部１０ａの側面に設けられた接続ポート部１０ｂに装着されている。ペン１１０は、コネクタ１２０に吸引力Ｍによって取り付けられている。ペン１１０は、コネクタ１２０に取り付けることによって、使用していないときに電子機器１０に付属させることができ、かつ、電子機器１０を介して充電することができる。図５Ａに示す状態は、図６に示すＳ１の状態に対応している。
【００２９】
図５Ｂに、ペン１１０を用いて電子機器１０に情報が入力されている状態を示している。ペン１１０を用いて、電子機器１０の表示部１０ｃに情報を入力したり、表示部１０ｃを介して電子機器１０を操作したりすることができる。ペン１１０は、使用時に電力を消耗することから、充電が必要である。
【００３０】
図５Ｃに、ペン１１０を用いた情報の入力が終わり、ペン１１０がコネクタ１２０に対して正しい向きに取り付けられた結果、ペン１１０とコネクタ１２０が磁石の吸引力Ｍによって互いに接続されている状態を示している。このとき、図４等を参照して前述した通り、ペン１１０のペン側第１磁石１１７のＳ極側が、コネクタ１２０のコネクタ側第１磁石１２５のＮ極側と対向し、吸引力Ｍによって吸引し合っている。同様に、ペン１１０のペン側第２磁石１１８のＮ極側が、コネクタ１２０のコネクタ側第２磁石１２６のＳ極側と対向し、吸引力Ｍによって吸引し合っている。このとき、ペン１１０は、コネクタ１２０を介して電子機器１０から充電されている。図５Ｃに示すペン１１０の状態は、図６に示すＳ２、Ｓ３におけるＹｅｓ及びＳ４の状態に対応している。
【００３１】
図５Ｄに、ペン１１０を用いた情報の入力が終わり、ペン１１０がコネクタ１２０に対して誤った向きに取り付けられようとした結果、ペン１１０とコネクタ１２０が磁石の反発力Ｎによって互いに離れている状態を示している。図５Ｄに示すペン１１０は、図５Ｃに示すペン１１０と比較して、上下が逆転している。この結果、ペン１１０のペン側第１磁石１１７のＳ極側が、コネクタ１２０のコネクタ側第２磁石１２６のＳ極側と対向し、反発力Ｎによって反発し合っている。同様に、ペン１１０のペン側第２磁石１１８のＮ極側が、コネクタ１２０のコネクタ側第１磁石１２５のＮ極側と対向し、反発力Ｎによって反発し合っている。このため、ペン１１０の使用者は、ペン１１０の向きが正しくないことに気が付いて、ペン１１０を図５Ｃに示す正しい向きにしてコネクタ１２０に取り付けようとする。図５Ｄに示すペン１１０の状態は、図６に示すＳ２、Ｓ３におけるＮｏ及びＳ５の状態に対応している。
【００３２】
図５Ｅに、手に接触されたペン１１０が損傷することなくコネクタ１２０から外れた状態を示している。ペン１１０は、コネクタ１２０に対して機械的な接続がされることなく、コネクタ１２０に対して磁石による吸引力Ｍのみによって取り付けられている。したがって、ペン１１０が手等によって任意の方向から応力を受けた結果、ペン１１０がコネクタ１２０から離れても、ペン１１０とコネクタ１２０の取り付け部分において機械的な損傷が発生しない。
【００３３】
ペン１１０をコネクタ１２０に取り付けるための取付構造及び取付方法の効果を説明する。
【００３４】
第１実施形態のペン１１０をコネクタ１２０に取り付けるための取付構造及び取付方法によれば、ペン１１０のペン側第１磁石１１７とコネクタ１２０のコネクタ側第１磁石１２５は吸引し合う。ペン１１０のペン側第２磁石１１８とコネクタ１２０のコネクタ側第２磁石１２６は吸引し合う。強磁性体のペン側第１磁石１１７と強磁性体のコネクタ側第２磁石１２６が、Ｓ極側同士で相対的に最も近接するように設けられている。強磁性体のペン側第２磁石１１８と強磁性体のコネクタ側第１磁石１２５が、Ｎ極側同士で相対的に最も近接するように設けられている。ここで、ペン側第１磁石１１７のＳ極側とコネクタ側第１磁石１２５のＮ極側とを対向させ、かつ、ペン側第２磁石１１８のＮ極側とコネクタ側第２磁石１２６のＳ極側とを対向させることによって、ペン１１０をコネクタ１２０に取り付ける。
【００３５】
なお、強磁性体のペン側第１磁石１１７と強磁性体のコネクタ側第２磁石１２６が、Ｎ極側同士が相対的に最も近接するように設けられ、強磁性体のペン側第２磁石１１８と強磁性体のコネクタ側第１磁石１２５が、Ｓ極側同士が相対的に最も近接するように設けられてもよいことは言うまでもない。
【００３６】
これにより、図５Ｃ等を参照して説明した通り、ペン１１０がコネクタ１２０に対して正しい向きに取り付けられた場合、ペン１１０は、磁石の吸引力Ｍによってコネクタ１２０に着脱可能に接続される。なお、ペン１１０は、例えば、コネクタ１２０を介して、電子機器１０の本体部１０ａの外縁に沿って配置することができる。一方、図５Ｄ等を参照して説明した通り、ペン１１０がコネクタ１２０に対して誤った向きに取り付けられようとした場合、ペン１１０は、磁石の反発力Ｎによってコネクタ１２０から離れて接続されない。ここで、図５Ｅを参照して説明した通り、手等に接触されたペン１１０は、コネクタ１２０から容易に外れる。ペン１１０がコネクタ１２０から離れても、ペン１１０及びコネクタ１２０は、その接続部分において、機械的な損傷が発生しない。このように、ペン１１０をコネクタ１２０に対して所定の位置及び向きで着脱容易に取り付けることができる。
【００３７】
ここで、強磁性体のペン側第１磁石１１７と強磁性体のコネクタ側第２磁石１２６が、Ｓ極側同士で相対的に最も近接するように設けられているとは、次のような構成である。すなわち、ペン側第１磁石１１７のＳ極側からコネクタ側第２磁石１２６のＳ極側までの距離が、ペン側第１磁石１１７の例えばＳ極側からコネクタ側第２磁石１２６の例えばＮ極側までの距離よりも相対的に短くなるように設けられている構成である。なお、第１実施形態では、ペン側第１磁石１１７のＳ極側と、コネクタ側第２磁石１２６のＳ極側が、互いの中心が完全にずれた状態で対向している。同様に、強磁性体のペン側第２磁石１１８と強磁性体のコネクタ側第１磁石１２５が、Ｎ極側同士で相対的に最も近接するように設けられているとは、次のような構成である。すなわち、ペン側第２磁石１１８のＮ極側からコネクタ側第１磁石１２５のＮ極側までの距離が、ペン側第２磁石１１８の例えばＮ極側からコネクタ側第１磁石１２５の例えばＳ極側までの距離よりも相対的に短くなるように設けられている構成である。なお、第１実施形態では、ペン側第２磁石１１８のＮ極側と、コネクタ側第１磁石１２５のＮ極側が、互いの中心が完全にずれた状態で対向している。
【００３８】
又、ペン側第１磁石１１７のＳ極側とコネクタ側第１磁石１２５のＮ極側とを対向させるとは、第１実施形態のようにペン側第１磁石１１７の中心とコネクタ側第１磁石１２５の中心とが一致した状態で互いに向かい合う構成に限定されない。すなわち、ペン側第１磁石１１７の中心とコネクタ側第１磁石１２５の中心とが、相対的に水平方向（図３におけるＸ方向）、上下方向（図３におけるＹ方向）又は斜め方向（図３におけるＸ方向及びＹ方向）に偏心した状態で互いに向かい合う構成を含む。ペン側第１磁石１１７の一部と、コネクタ側第１磁石１２５の一部が、対向していればよい。同様に、ペン側第２磁石１１８のＮ極側とコネクタ側第２磁石１２６のＳ極側とを対向させるとは、第１実施形態のようにペン側第２磁石１１８の中心とコネクタ側第２磁石１２６の中心とが一致した状態で互いに向かい合う構成に限定されない。すなわち、ペン側第２磁石１１８の中心とコネクタ側第２磁石１２６の中心とが、相対的に水平方向（図３におけるＸ方向）、上下方向（図３におけるＹ方向）又は斜め方向（図３におけるＸ方向及びＹ方向）に偏心した状態で互いに向かい合う構成を含む。ペン側第２磁石１１８の一部と、コネクタ側第２磁石１２６の一部が、対向していればよい。
【００３９】
又、ペン側第１磁石１１７のＳ極側とコネクタ側第１磁石１２５のＮ極側とを対向させるとは、第１実施形態のような非接触の構成と、図示せぬ接触の構成の両方を含む。更に、上記の構成は、ペン側第１磁石１１７とコネクタ側第１磁石１２５とが、相対的に傾いた状態で互いに向かい合う構成を含む。同様に、ペン側第２磁石１１８のＮ極側とコネクタ側第２磁石１２６のＳ極側とを対向させるとは、第１実施形態のような非接触の構成と、図示せぬ接触の構成の両方を含む。更に、上記の構成は、ペン側第２磁石１１８とコネクタ側第２磁石１２６とが、相対的に傾いた状態で互いに向かい合う構成を含む。
【００４０】
第１実施形態によれば、ペン側第１磁石１１７のＳ極側とコネクタ側第１磁石１２５のＮ極側とが対向し、かつ、ペン側第２磁石１１８のＮ極側とコネクタ側第２磁石１２６のＳ極側とが対向した状態で、ペン側アノード端子１１５とコネクタ側アノード端子１２３とが接触し、ペン側カソード端子１１６とコネクタ側カソード端子１２４とが接触する。
【００４１】
これにより、ペン側アノード端子１１５とコネクタ側カソード端子１２４が接触し続けて、かつ、ペン側カソード端子１１６とコネクタ側アノード端子１２３が接触し続けるようなことを防止できる。図５Ｄを参照して説明した通り、ペン１１０がコネクタ１２０に対して誤った向きに取り付けられようとした場合、ペン１１０とコネクタ１２０が磁石の反発力Ｎによって互いに離れるからである。したがって、ペン側アノード端子１１５とペン側カソード端子１１６に接続されているペン１１０の構成部材が損傷することを防止できる。特に、上記の構成部材が電源１１３の場合、アノードとカソードを反転させることによる重大な損傷を防止することができる。この場合、電源１１３に残留していた電力による電子機器１０の損傷を防止することができる。
【００４２】
第１実施形態によれば、ペン１１０は、コネクタ１２０を介して電子機器１０から充電される。
【００４３】
これにより、ペン１１０は、コネクタ１２０を介して電子機器１０に付属させるのみならず、コネクタ１２０を介して電子機器１０から充電することができる。
【００４４】
第１実施形態によれば、コネクタ１２０は、汎用端子を介して電子機器１０に装着される。
【００４５】
これにより、タブレットのような情報端末やノートパソコン等が想定される様々な電子機器１０に、コネクタ１２０を装着することができる。したがって、第１実施形態の適用範囲を十分に広げることができる。
【００４６】
第１実施形態によれば、ペン側第１磁石１１７のＳ極側と、ペン側第２磁石１１８のＮ極側とが、ペン１１０上で所定方向に配列されている。同様に、コネクタ側第１磁石１２５のＮ極側と、コネクタ側第２磁石１２６のＳ極側とが、コネクタ１２０上で所定方向に配列されている。
【００４７】
これにより、所定方向に配列されたペン側第１磁石１１７及びペン側第２磁石１１８と、所定方向に配列されたコネクタ側第１磁石１２５及びコネクタ側第２磁石１２６を、それぞれ正対させた状態において、互いに十分に吸引させることができる。したがって、ペン１１０をコネクタ１２０に容易に取り付けることができる。又、ペン１１０が手等によって任意の方向から応力を受けた場合、ペン１１０をコネクタ１２０から容易に離れさせることができる。
【００４８】
第１実施形態によれば、ペン１１０上の所定方向におけるペン側第１磁石１１７とペン側第２磁石１１８との距離が、コネクタ１２０上の所定方向におけるコネクタ側第１磁石１２５とコネクタ側第２磁石１２６との距離にほぼ等しい。
【００４９】
これにより、例えば、ペン側第１磁石１１７とコネクタ側第１磁石１２５を正対させた状態において、ペン側第２磁石１１８とコネクタ側第２磁石１２６をほぼ正対させることができる。この結果、ペン１１０をコネクタ１２０に対して十分に取り付けることができる。なお、ほぼ等しいに相当する距離は、例えば、ペン側第１磁石１１７とコネクタ側第１磁石１２５を正対させた状態において、ペン側第２磁石１１８とコネクタ側第２磁石１２６が互いに磁力によって十分に吸引し合える状態となる距離である。
【００５０】
第１実施形態によれば、コネクタ側第１磁石１２５は、対向させた強磁性体のペン側第１磁石１１７と吸引し合い、かつ、対向させた強磁性体のペン側第２磁石１１８と反発し合う強磁性体からなる。又、コネクタ側第２磁石１２６は、対向させた強磁性体のペン側第２磁石１１８と吸引し合い、かつ、対向させた強磁性体のペン側第１磁石１１７と反発し合う強磁性体からなる。
【００５１】
これにより、図５Ｃに示すように、ペン１１０がコネクタ１２０に対して正しい向きで取り付けられた場合、ペン側第１磁石１１７とコネクタ側第１磁石１２５が強く吸引し合い、かつ、ペン側第２磁石１１８とコネクタ側第２磁石１２６が強く吸引し合う。一方、図５Ｄに示すように、ペン１１０がコネクタ１２０に対して誤った向きで取り付けられようとした場合、ペン側第１磁石１１７とコネクタ側第２磁石１２６が強く反発し合い、かつ、ペン側第２磁石１１８とコネクタ側第１磁石１２５が強く反発し合う。この結果、ペン１１０をコネクタ１２０に対して正しい向きでより確実に取り付けることができる。
【００５２】
［第２実施形態］
第２実施形態では、ペン２１０のペン側筐体２１１の接触面２１１ｄと、コネクタ２２０のコネクタ側筐体２２１の被接触面２２１ａが、段差を介した状態で接触している。第２実施形態は、上記の構成のみが第１実施形態と異なる。第２実施形態では、第１実施形態と同一の構成について、第１実施形態と同一の参照符号を付すことで、その説明を省略する。
【００５３】
図７を参照して、第２実施形態に特有のペン２１０をコネクタ２２０に取り付けるための取付構造及び取付方法の効果を説明する。
【００５４】
第２実施形態によれば、ペン側第１磁石１１７のＳ極側とコネクタ側第１磁石１２５のＮ極側とが対向し、かつ、ペン側第２磁石１１８のＮ極側とコネクタ側第２磁石１２６のＳ極側とが対向した状態で、ペン２１０の接触面２１１ｄとコネクタ２２０の被接触面２２１ａとが段差を介して接触する。
【００５５】
これにより、接触面２１１ｄと被接触面２２１ａの段差を用いて、ペン２１０をコネクタ２２０に対して引っ掛けるようにして取り付けることができる。又、接触面２１１ｄと被接触面２２１ａの段差を用いて、ペン２１０を所定の位置及び向きでコネクタ２２０に取り付けることができる。もちろん、ペン２１０が手等から応力を受けた場合、ペン２１０がコネクタ２２０から容易に外れることから、ペン２１０とコネクタ２２０は損傷しない。
【００５６】
なお、本発明は上記実施形態そのままに限定されるものではなく、実施段階ではその要旨を逸脱しない範囲で構成要素を変形して具体化できる。又、上記実施形態に開示されている複数の構成要素の適宜な組み合せにより種々の発明を形成できる。例えば、実施形態に示される全構成要素から幾つかの構成要素を削除してもよい。更に、異なる実施形態に亘る構成要素を適宜組み合せてもよい。
【００５７】
第１及び第２実施形態では、電子機器付属部材に備えられた強磁性体の第１磁性材及び第２磁性材を同一面上において極性が異なるような配置で並べて構成している。又、保持部材に備えられた強磁性体の第３磁性材及び第４磁性材を同一面上において極性が異なような配置で並べて構成している。且つ、第１磁性材と第３磁性材を極性が異なる面同士が対向して、第２磁性材と第４磁性材を極性が異なる面同士が対向するような配置で構成している。上記の構成以外に、例えば、以下の構成を適用してもよい。強磁性体の第１磁性材と第４磁性材を極性の同じ面同士が斜め方向に向き合うように配置して構成し、第２磁性材と第３磁性材を常磁性体で構成してもよい。又、第１磁性材と第４磁性材を常磁性体で構成して、強磁性体の第２磁性材と第３磁性材を極性の同じ面同士が斜め方向に向き合うように配置して構成してもよい。
【００５８】
電子機器付属部材は、いわゆるタッチペンのようなペン１１０に限定されることなく、例えば、いわゆるマウスとしてもよい。
【００５９】
ペン１１０は、コネクタ１２０を介して電子機器１０から充電される構成に限定されることなく、コネクタ１２０を介して電子機器１０と情報のやり取りを行う構成としてもよい。更に、ペン１１０は、端子の数を増やすことなく、コネクタ１２０を介して電子機器１０から充電されているときに、コネクタ１２０を介して電子機器１０と情報のやり取りを行う構成としてもよい。具体的には、例えば、電源端子である１対のピン（ペン側アノード端子１１５とコネクタ側アノード端子１２３）、又は、グラウンド端子である１対のピン（ペン側カソード端子１１６とコネクタ側カソード端子１２４）を用いることによって、ペン１１０と電子機器１０との間で、電力の授受を行いつつ、同時に情報伝達のための信号も重畳する構成としてもよい。
【００６０】
ペン側第１磁石１１７のＳ極側とペン側第２磁石１１８のＮ極側は、同一の面から同一の所定方向に臨む構成に限定されることなく、例えば、隣り合う面から異なる方向に臨む構成としてもよい。このような構成の場合、ペン側第１磁石１１７のＳ極側とペン側第２磁石１１８のＮ極側は、例えば、凸形状の筐体の隣り合う外面に設けられる。このような構成の場合、コネクタ側第１磁石１２５のＮ極側とコネクタ側第２磁石１２６のＳ極側は、ペン側第１磁石１１７のＳ極側とペン側第２磁石１１８のＮ極側に対向するように、例えば、凹形状の筐体の隣り合う内面に設けられる。
【００６１】
ペン１１０のコネクタ１２０からの外れ易さや外れる方向を規定するために、ペン側第１磁石１１７とコネクタ側第１磁石１２５、及びペン側第２磁石１１８とコネクタ側第２磁石１２６の磁力の大小関係や形状を任意に設定することができる。特に、第２実施形態のように、ペン２１０のペン側筐体２１１の接触面２１１ｄと、コネクタ２２０のコネクタ側筐体２２１の被接触面２２１ａとの段差の部分の大きさや形状を任意に設定することができる。
【００６２】
ペン１１０の外周面を、Ｕ字状に形成したコネクタ１２０によって、一定程度取り囲むように構成してもよい。このように構成した場合、ペン１１０がコネクタ１２０から外れる方向を規定し易くなる。
【符号の説明】
【００６３】
１０…電子機器、１１０，２１０…ペン（電子機器付属部材）、１１１，２１１…ペン側筐体、１１１ｄ，２１１ｄ…接触面、１１２…ペン先、１１３…電源、１１４…抵抗、１１５…ペン側アノード端子（第１アノード端子）、１１６…ペン側カソード端子（第１カソード端子）、１１７…ペン側第１磁石（第１磁性材）、１１８…ペン側第２磁石（第２磁性材）、１２０，２２０…コネクタ（保持部材）、１２１，２２１…コネクタ側筐体、１２１ａ，２２１ａ…被接触面、１２２…接続端子（汎用端子）、１２３…コネクタ側アノード端子（第２アノード端子）、１２４…コネクタ側カソード端子（第２カソード端子）、１２５…コネクタ側第１磁石（第３磁性材）、１２６…コネクタ側第２磁石（第４磁性材）、Ｍ…吸引力、Ｎ…反発力
【図１】
2020021227.tif 000003
【図２】
2020021227.tif 000004
【図３】
2020021227.tif 000005
【図４】
2020021227.tif 000006
【図５Ａ】
2020021227.tif 000007
【図５Ｂ】
2020021227.tif 000008
【図５Ｃ】
2020021227.tif 000009
【図５Ｄ】
2020021227.tif 000010
【図５Ｅ】
2020021227.tif 000011
【図６】
2020021227.tif 000012
【図７】
2020021227.tif 000013